(57)【要約】  本発明は、加熱速度を調節可能なバッテリーシステム及びその制御方法に関し、前記バッテリーシステムは、バッテリーパックと、加熱板と、電力制御モジュールと、バッテリー管理システムとを備え、バッテリーパックの温度がプリセットの自動加熱の起動温度より低いと、電力制御モジュールを起動し、バッテリー管理システムが収集されたバッテリーパックの状態情報を電力制御モジュールに伝送し、電力制御モジュールがＰＷＭ信号によって加熱板の電流オンオフ時間及びスイッチ周波数を調節することで加熱電力と加熱速度を調節し、それにより、バッテリーの自動加熱を実現し、バッテリーパックの温度がプリセットの自動加熱閉じ温度に達すると、電力制御モジュールを閉じて、加熱を停止させ、前記電力制御モジュールが、電流調節モジュールと、電流収集モジュールと、加熱制御モジュールとをさらに含み、本発明は、低温で加熱レートが低く、航続距離が長く、低温で急速に充電できるといったパワーバッテリーシステムの有益な効果を実現することができる。【選択図】図１
2021510289.tif 000002
【特許請求の範囲】
【請求項１】
加熱速度を調節可能なバッテリーシステムであって、バッテリーパック（１）と、加熱板（２）と、電力制御モジュール（３）と、バッテリー管理システム（６）とを備え、
前記バッテリーパック（１）がそれぞれ加熱板（２）及び電力制御モジュール（３）に電気的に接続され、前記電力制御モジュール（３）がそれぞれバッテリーパック（１）、加熱板（２）及びバッテリー管理システム（６）に電気的に接続され、
バッテリーパック（１）の温度がプリセットの自動加熱の起動温度より低いと、電力制御モジュール（３）を起動し、バッテリー管理システム（６）が収集されたバッテリーパック（１）の状態情報を電力制御モジュール（３）に伝送し、電力制御モジュール（３）がＰＷＭ信号によって加熱板（２）の電流オンオフ時間及びスイッチ周波数を調節することで加熱電力と加熱速度を調節し、バッテリーパック（１）の温度がプリセットの自動加熱閉じ温度に達すると、電力制御モジュール（３）を閉じて、加熱を停止させ、
前記電力制御モジュール（３）は、電流調節モジュール（４）と、電流収集モジュール（５）と、加熱制御モジュール（７）とを更に含み、
前記加熱制御モジュール（７）は、電流収集モジュール（５）、電流調節モジュール（４）及びバッテリー管理システム（６）に電気的に接続され、バッテリー管理システム（６）と情報を交換し、電流調節モジュール（４）に電流調節命令を送信し、電流収集モジュール（５）の収集された加熱電流を読み取り、閉ループ制御を実現することを特徴とする加熱速度を調節可能なバッテリーシステム。
【請求項２】
前記バッテリー管理システム（６）が加熱制御モジュール（７）と情報を交換することは、具体的には、バッテリー管理システム（６）が加熱制御モジュール（７）に車両状態情報及び加熱運転モードニーズを送信することであり、前記加熱運転モードは駐車加熱モード、走行加熱モード、直流充電加熱モード、及び交流充電加熱モードを含み、加熱プロセスで、バッテリー管理システム（６）が加熱制御モジュール（７）にバッテリーパック（１）の現在状態情報をリアルタイムに送信することを特徴とする請求項１に記載の加熱速度を調節可能なバッテリーシステム。
【請求項３】
前記電流調節モジュール（４）は、スイッチ電子部品と、絶縁駆動ユニットと、絶縁型電源とを含み、ＰＷＭ信号によって加熱電流のオンオフ時間を制御し、スイッチ電子部品はＩＧＢＴ、ＭＯＳＦＥＴ、サイリスター又はリレーのうちのいずれかであることを特徴とする請求項１又は２に記載の加熱速度を調節可能なバッテリーシステム。
【請求項４】
前記電流収集モジュール（５）は、ホールセンサと、ＬＤＯと、ポート保護回路と、信号調節回路とを含み、ホールセンサが収集された電流信号をポート保護回路と信号調節回路を介して電流収集モジュールインターフェースに伝送することを特徴とする請求項１又は２に記載の加熱速度を調節可能なバッテリーシステム。  
【請求項５】
前記加熱制御モジュール（７）は、ＰＷＭ信号によって電流調節モジュール（４）を制御し、ＭＣＵコントローラと、電源回路と、クロックと、ＣＡＮ通信チップと、電流調節モジュールインターフェースと、電流収集モジュールインターフェースと、バッテリー管理システムインターフェースとを含み、ＭＣＵコントローラがＣＡＮ通信チップを介してバッテリー管理システムインターフェースに接続され、ＭＣＵコントローラがＰＷＭ生成モジュールを介して電流調節モジュールインターフェースに接続され、ＭＣＵコントローラがＡＤＣチャンネルを介して電流収集モジュールインターフェースに接続されることを特徴とする請求項１又は２に記載の加熱速度を調節可能なバッテリーシステム。
【請求項６】
前記加熱板（２）は、ニッケル板、銅板、アルミニウム板、鉄板、グラファイト板、ＰＴＣヒーター又は加熱薄膜のうちの１種または複数種であることを特徴とする請求項１又は２に記載の加熱速度を調節可能なバッテリーシステム。
【請求項７】
前記加熱板（２）は、独立した複数の加熱板ユニットを直列接続、並列接続又は直並列ハイブリッド接続して構成され、バッテリーセルの内部、バッテリーセルの外部、バッテリーパック（１）モジュールの底部、バッテリーパック（１）モジュールの頂部又はバッテリーパック（１）モジュールの側面に設けられることを特徴とする請求項６に記載の加熱速度を調節可能なバッテリーシステム。
【請求項８】
前記バッテリーパック（１）は複数のバッテリーセルを直列接続、並列接続又は直並列ハイブリッド接続して構成され、前記バッテリーセルはリン酸鉄リチウムバッテリー、三元リチウムバッテリー、マンガン酸リチウムバッテリー、固体リチウムバッテリー、ニッケル水素バッテリー、ニッケルカドミウムバッテリー、銀亜鉛バッテリー、燃料バッテリー又は鉛バッテリーのうちの１種であることを特徴とする請求項７に記載の加熱速度を調節可能なバッテリーシステム。
【請求項９】
加熱速度を調節可能なバッテリーシステムを初期化し、バッテリー管理システム（６）によって現在のバッテリーパック（１）の情報をリアルタイムに収集し、収集されたバッテリーパック（１）の情報を計算し、駐車加熱モード、走行加熱モード、直流充電加熱モード、及び交流充電加熱モードの４種に分けられる現在のバッテリーパック（１）の加熱運転モードを選択し、バッテリー管理システム（６）が加熱制御モジュール（７）に必要なバッテリーパック（１）の状態情報及び加熱運転モードを加熱制御モジュール（７）に送信するステップ１）と、
加熱制御モジュール（７）を受信されたバッテリーパック（１）の加熱運転モード情報に基づいて、対応する加熱運転モードに切り替え、加熱制御モジュール（７）が現在の加熱運転モードで設定されたパラメータに基づいて、対応するＰＷＭ信号を電流調節モジュール（４）に送信し、加熱回路の電流値をリアルタイムに調節し、加熱制御モジュール（７）が電流収集モジュール（５）によりフィードバックされた電流値を受信し、ＰＷＭ信号を調節することで、実際の電流値が設定値に達し、閉ループ制御を実現し、同時に加熱回路に故障が発生したか否かを診断し、故障が存在すると、故障レベルに応じて現在の加熱運転モードを停止させるか否か又は加熱電力を低下させるか否かを判断し、故障がないと、現在の加熱運転モードを継続するステップ２）と、
バッテリーパック（１）におけるバッテリーセルの温度、温度差、圧力差、加熱時間がプリセット閾値に達し、又はバッテリーセルの電圧、絶縁抵抗がプリセット閾値より低いと、警報し、加熱制御モジュール（７）が電流調節モジュール（４）に加熱電力がゼロの制御命令を送信するステップ３）と、
バッテリー管理システム（６）に加熱運転モードを閉じる要求を送信し、確認した後、現在の加熱運転モードを終了させ、ステップ１）に戻るステップ４）とを含むことを特徴とする請求項１〜８のいずれか１項に記載の加熱速度を調節可能なバッテリーシステムの制御方法。
【請求項１０】
加熱制御モジュール（７）は加熱板（２）、電流調節モジュール（４）、電流収集モジュール（５）に故障が生じたか否かを判断し、電流調節モジュール（４）が加熱制御モジュール（７）の故障操作に応答することを特徴とする請求項９に記載の加熱速度を調節可能なバッテリーシステムの制御方法。
【発明の詳細な説明】
【技術分野】
【０００１】
本発明は電気自動車のバッテリー技術分野に属し、特に加熱速度を調節可能なバッテリーシステム及びその制御方法に関する。
【背景技術】
【０００２】
電気自動車は、新エネルギー産業の急速な発展に伴って、世界中に広がっている。電気自動車の核心はバッテリーシステムであり、バッテリーシステムの充放電性能が電気自動車の動力性、経済性に大きく影響している。低温条件において電気自動車のバッテリーシステムの充放電電力が低いため、電気自動車の動力性、航続距離や充電時間などに大きく影響しており、使用者からの苦情が多い。一方、低温地域に適用される電気自動車は、バッテリーシステムが加熱システム及び保温システムを備えたが、加熱電力が低く、速度が遅く、保温効果が低いといった問題が存在する。
【０００３】
上記２つの原因のため、電気自動車の低温地域における使用や普及に深刻に影響し、クライアントの使用体験に深刻に影響する。従って、上記２つの問題を解決するために、自動急速加熱機能と加熱速度を調節可能な機能を有する、安全かつ確実なバッテリーシステムの開発は十分に必要である。
【発明の概要】
【発明が解決しようとする課題】
【０００４】
本発明は、上記不備に対して、従来技術でバッテリーシステムの加熱電力を調節できず、加熱速度が遅いといった問題を解決し、バッテリーシステムの加熱レートが速く、故障率が低く、メインテナンス難度が低く、安全性が高いといった有益な効果を実現するように、加熱速度を調節可能なバッテリーシステム及びその制御方法を提供することを目的とする。
【課題を解決するための手段】
【０００５】
本発明の技術案は以下のように実現される。
加熱速度を調節可能なバッテリーシステムを提供し、前記バッテリーシステムは、バッテリーパックと、加熱板と、電力制御モジュールと、バッテリー管理システムとを備え、前記バッテリーパックがそれぞれ加熱板及び電力制御モジュールに電気的に接続され、前記電力制御モジュールがそれぞれバッテリーパック、加熱板及びバッテリー管理システムに電気的に接続され、
バッテリーパックの温度がプリセットの自動加熱の起動温度より低いと、電力制御モジュールを起動し、バッテリー管理システムが収集されたバッテリーパックの状態情報を電力制御モジュールに伝送し、電力制御モジュールがＰＷＭ（パルス幅変調）信号によって加熱板の電流オンオフ時間及び周波数を調節することで加熱電力と加熱速度を調節し、それにより、バッテリーの自動加熱を実現し、バッテリーパックの温度がプリセットの自動加熱閉じ温度に達すると、電力制御モジュールを閉じて、加熱を停止させ、
前記電力制御モジュールは、電流調節モジュールと、電流収集モジュールと、加熱制御モジュールとを更に含み、前記電流調節モジュールは加熱板、電流収集モジュール、加熱制御モジュールに電気的に接続され、加熱板を流れる電流を調節することで、システムの加熱電力を調節し、前記加熱制御モジュールは電流収集モジュール、電流調節モジュール及びバッテリー管理システムに電気的に接続され、バッテリー管理システムと情報を交換し、電流調節モジュールに電流調節命令を送信し、電流収集モジュールにより収集された加熱電流を読み取る。
【０００６】
バッテリー管理システムにより収集されたバッテリーパックの状態情報は、具体的には、バッテリーセルの最高電圧、バッテリーセルの平均電圧、バッテリーセルの最低電圧、バッテリーセルの最高温度、バッテリーセルの最低温度、バッテリーセルの圧力差、バッテリーパックの全体電圧、バッテリーパックの全体温度、バッテリーパックの絶縁状態、バッテリー加熱運転モードなどであり、電流調節モジュールに対して加熱電力を設定することに用いられる。
【０００７】
更に、前記バッテリー管理システムが加熱制御モジュールと情報を交換することは、具体的には、バッテリー管理システムが加熱制御モジュールに車両状態情報及び加熱運転モードニーズを送信することであり、前記加熱運転モードは駐車加熱モード、走行加熱モード、直流充電加熱モード、及び交流充電加熱モードを含み、直流充電加熱モード、及び交流充電加熱モーは充電器を介して充電加熱を実現するものであり、充電器を介して加熱板のみに高電圧を提供して加熱する方式、充電器がバッテリーパックと加熱板両方に高電圧を提供して給電する方式といった２種の選択可能な運転方式を有する。
【０００８】
バッテリー管理システムは、収集されたバッテリーパックの状態情報を計算して、現在の加熱運転モードを選択し、現在の加熱運転モードを加熱制御モジュールに送信する。加熱プロセスで、バッテリー管理システムが加熱制御モジュールにバッテリーパックの現在状態情報をリアルタイムに送信する。
【０００９】
更に、前記電流調節モジュールは、スイッチ電子部品と、絶縁駆動ユニットと、絶縁型電源とを含み、ＰＷＭ信号によって加熱電流のオンオフ時間とスイッチ周波数を制御し、
そのうち、スイッチ電子部品は、オンオフ機能を有する又は調節可能な導通角を有する、ＩＧＢＴ（絶縁ゲート型バイポーラトランジスタ）、ＭＯＳＦＥＴ（金属−酸化物半導体電界効果トランジスタ）、サイリスター、リレーなどのうちのいずれの電子部品である。好ましくは、電流調節モジュールがＩＧＢＴ（絶縁ゲート型バイポーラトランジスタ）である場合、その回路が具体的には、絶縁駆動ユニット、絶縁型電源及びＩＧＢＴ（絶縁ゲート型バイポーラトランジスタ）を含み、プロセッサ電力制御モジュールがＰＷＭ信号を出力して絶縁駆動ユニットに通過させた後、ＩＧＢＴ（絶縁ゲート型バイポーラトランジスタ）の制御信号を生成し、絶縁駆動ユニットが絶縁型電源により給電される。
【００１０】
更に、前記電流収集モジュールは、ホールセンサと、ＬＤＯ（低ドロップアウトリニアレギュレータ）と、ポート保護回路と、信号調節回路とを含み、ホールセンサが収集された電流信号をポート保護回路と信号調節回路を介して電流収集モジュールインターフェースに伝送する。ホールセンサは収集された電流信号の伝送チャンネルをハイレンジチャンネルとローレンジチャンネルに分け、ハイレンジチャンネルは高周波電流信号をポート保護回路１と信号調節回路１に通過させて電流収集モジュールインターフェース１に伝送し、ローレンジチャンネルは低周波電流信号をポート保護回路２と信号調節回路２に通過させて電流収集モジュールインターフェース２に伝送する。
【００１１】
更に、前記加熱制御モジュールはパルス幅変調信号によって電流調節モジュールを制御する。前記加熱制御モジュールは、ＭＣＵコントローラと、電源回路と、クロックと、ＣＡＮ通信チップと、電流調節モジュールインターフェースと、電流収集モジュールインターフェースと、バッテリー管理システムインターフェースとを含み、ＭＣＵコントローラがＣＡＮ通信チップを介してバッテリー管理システムインターフェースに接続され、ＭＣＵコントローラがＰＷＭ生成モジュールを介して電流調節モジュールインターフェースに接続され、ＭＣＵコントローラがＡＤＣチャンネルを介して電流収集モジュールインターフェースに接続される。
【００１２】
更に、前記加熱板は、ニッケル板、銅板、アルミニウム板、鉄板、グラファイト板、ＰＴＣヒーター又は加熱薄膜のうちの１種または複数種である。
【００１３】
更に、前記加熱板は、独立した複数の加熱板ユニットを直列接続、並列接続又は直並列ハイブリッド接続して構成され、バッテリーセルの内部、バッテリーセルの外部、バッテリーパックモジュールの底部、バッテリーモジュールの頂部又はバッテリーパックモジュールの側面に設けられる。
【００１４】
更に、前記バッテリーパックは、複数のバッテリーセルを直列接続、並列接続又は直並列ハイブリッド接続して構成され、前記バッテリーセルはリン酸鉄リチウムバッテリー、三元リチウムバッテリー、マンガン酸リチウムバッテリー、固体リチウムバッテリー、ニッケル水素バッテリー、ニッケルカドミウムバッテリー、銀亜鉛バッテリー、燃料バッテリー又は鉛バッテリーのうちの１種であり、好ましくは、バッテリーセルの数が１〜９９９９である。
【００１５】
本発明は、さらに、熱速度を調節可能なバッテリーシステムの制御方法に関し、前記制御方法は、
加熱速度を調節可能なバッテリーシステムを初期化し、バッテリー管理システムによって現在のバッテリーパック情報をリアルタイムに収集し、収集されたバッテリーパック情報を計算し、駐車加熱モード、走行加熱モード、直流充電加熱モード、及び交流充電加熱モードの４種に分けられる現在のバッテリーパックの加熱運転モードを選択し、バッテリー管理システムが加熱制御モジュールに必要なバッテリーパックの状態情報及び加熱運転モードを加熱制御モジュールに送信するステップ１）、
受信されたバッテリーパック加熱運転モード情報に基づいて、加熱制御モジュールを対応する加熱運転モードに切り替え、加熱制御モジュールが現在の加熱運転モードで設定されたパラメータに基づいて、対応するＰＷＭ信号を電流調節モジュールに送信し、加熱回路の電流値をリアルタイムに調節し、加熱制御モジュールが電流収集モジュールによりフィードバックされた電流値を受信し、ＰＷＭ信号を調節することで、実際の電流値が設定値に達し、閉ループ制御を実現し、同時に加熱回路に故障が発生したか否かを診断し、故障が存在すると、故障レベルに応じて現在の加熱運転モードを停止させるか否か又は加熱電力を低下させるか否かを判断し、故障がないと、現在の加熱運転モードを継続するステップ２）と、
バッテリーパックにおけるバッテリーセルの温度、温度差、圧力差がプリセット閾値に達し、又はバッテリーセルの電圧、絶縁抵抗がプリセット閾値より低いと、警報し、加熱制御モジュールが電流調節モジュールに加熱電力がゼロの制御命令を送信するステップ３）と、
バッテリー管理システムに加熱運転モードを閉じる要求を送信し、現在の加熱運転モードを終了させ、ステップ１）に戻るステップ４）とを含む。
【００１６】
更に、加熱制御モジュールは、加熱板、電流調節モジュール、電流収集モジュールに故障が生じたか否かを判断し、電流調節モジュールが加熱制御モジュールの故障操作に応答する。
【発明の効果】
【００１７】
本発明は従来技術に比べて、以下の有益な効果を有する。
加熱板、電流調節モジュール、電流収集モジュール、加熱制御モジュール、及びバッテリー管理システムを適宜に設け、且つ加熱運転モードを駐車加熱モード、走行加熱モード、直流充電加熱モード、及び交流充電加熱モードの４種に分けることで、従来技術でバッテリーパックの加熱効率が低く、加熱方式が単一であり、加熱電力を調節できないといった問題を解決し、低温で加熱レートが速く、航続距離が長く、低温で急速に充電できるといったパワーバッテリーシステムの有益な効果を実現する。
【００１８】
本発明の他の特徴と利点は以下の明細書で説明され、その一部は明細書から明らかになるか、又は本発明を実施することにより把握する。
【００１９】
以下、図面と実施例を参照しながら、本発明の技術案について更に詳細に説明する。
【図面の簡単な説明】
【００２０】
【図１】図１は本発明の加熱速度を調節可能なバッテリーシステムの概略図である。
【図２】図２は本発明の電流調節モジュールの回路概略図である。
【図３】図３は本発明の電流収集モジュールの関連回路概略図である。
【図４】図４は本発明の加熱制御モジュールの回路概略図である。
【発明を実施するための形態】
【００２１】
以下、具体的な実施例を参照しながら本発明について詳細に説明する。以下の実施例は当業者が本発明を把握するためのものであり、いかなる形態で本発明を制限するものではない。
【００２２】
図１〜４に示されるように、加熱速度を調節可能なバッテリーシステムであって、前記バッテリーシステムはバッテリーパック１と、加熱板２と、電力制御モジュール３と、バッテリー管理システム６とを備え、前記バッテリーパック１がそれぞれ加熱板２及び電力制御モジュール３に電気的に接続され、前記電力制御モジュール３がそれぞれバッテリーパック１、加熱板２及びバッテリー管理システム６に電気的に接続される。
【００２３】
バッテリーパック１の温度がプリセットの自動加熱の起動温度より低いと、電力制御モジュール３を起動し、バッテリー管理システム６が収集されたバッテリーパック１状態情報を電力制御モジュール３に伝送し、電力制御モジュール３がＰＷＭ（パルス幅変調）信号によって加熱板２の電流オンオフ時間及び周波数を調節することで加熱電力と加熱速度を調節し、それにより、バッテリーの自動加熱を実現し、バッテリーパック１の温度がプリセットの自動加熱閉じ温度に達すると、電力制御モジュール３を閉じて、加熱を停止する。
【００２４】
前記電力制御モジュール３は、更に、電流調節モジュール４と、電流収集モジュール５と、加熱制御モジュール７とを含み、前記電流調節モジュール４は加熱板２、電流収集モジュール５、加熱制御モジュール７に電気的に接続され、加熱板２を流れる電流を調節することで、システムの加熱電力を調節することに用いられ、前記加熱制御モジュール７は電流収集モジュール５、電流調節モジュール４及びバッテリー管理システム６に電気的に接続され、バッテリー管理システム６と情報を交換し、電流調節モジュール４に電流調節命令を送信し、電流収集モジュール５が収集された加熱電流を読み取る。
【００２５】
バッテリー管理システム６により収集されたバッテリーパック１の状態情報は、具体的には、バッテリーセルの最高電圧、バッテリーセルの平均電圧、バッテリーセルの最低電圧、バッテリーセルの最高温度、バッテリーセルの最低温度、バッテリーセルの圧力差、バッテリーパック１の全体電圧、バッテリーパック１の全体温度、バッテリーパック１の絶縁状態、バッテリーの加熱運転モードなどであり、電流調節モジュール４に対して加熱電力を設定することに用いられる。
【００２６】
前記バッテリー管理システム６が加熱制御モジュール７と情報を交換することは、具体的には、バッテリー管理システム６が加熱制御モジュール７に車両状態情報及び加熱運転モードニーズを送信することであり、前記加熱運転モードは駐車加熱モード、走行加熱モード、直流充電加熱モード、及び交流充電加熱モードを含み、直流充電加熱モード、及び交流充電加熱モードは、充電器を介して加熱板２のみに高電圧を提供して加熱する方式、充電器がバッテリーパック１と加熱板２両方に高電圧を提供して給電する方式といった２種の選択可能な運転方式を有する。
【００２７】
バッテリー管理システム６は、収集されたバッテリーパック１の状態情報を計算して、現在の加熱運転モードを選択し、現在の加熱運転モードを加熱制御モジュール７に送信する。加熱プロセスで、バッテリー管理システム６は加熱制御モジュール７にバッテリーパック１の現在状態情報をリアルタイムに送信する。
【００２８】
前記電流調節モジュール４は、スイッチ電子部品と、絶縁駆動ユニットと、絶縁型電源とを含み、ＰＷＭ信号によって加熱電流のオンオフ時間を制御し、そのうち、スイッチ電子部品は、オンオフ機能を有する又は調節可能な導通角を有する、ＩＧＢＴ（絶縁ゲート型バイポーラトランジスタ）、ＭＯＳＦＥＴ（金属−酸化物半導体電界効果トランジスタ）、サイリスター、リレーなどのうちのいずれの電子部品である。好ましくは、電流調節モジュール４のスイッチ電子部品がＩＧＢＴ（絶縁ゲート型バイポーラトランジスタ）である場合、電流調節モジュール４が具体的には、絶縁駆動ユニット、絶縁型電源及びＩＧＢＴ（絶縁ゲート型バイポーラトランジスタ）を含み、加熱制御モジュール７がＰＷＭ信号を出力して絶縁駆動ユニットに通過させた後、ＩＧＢＴ（絶縁ゲート型バイポーラトランジスタ）の制御信号を生成し、絶縁駆動ユニットが絶縁型電源により給電される。
【００２９】
前記電流収集モジュール５は、ホールセンサと、ＬＤＯ（低ドロップアウトリニアレギュレータ）と、ポート保護回路と、信号調節回路とを含み、ホールセンサは収集された電流信号をポート保護回路と信号調節回路を介してＡＤＣチャンネルに伝送する。具体的には、ホールセンサは収集された電流信号の伝送チャンネルをハイレンジチャンネルとローレンジチャンネルに分け、ハイレンジチャンネルは高周波電流信号をポート保護回路１と信号調節回路１を通過させて電流収集モジュールインターフェース１に伝送し、ローレンジチャンネルは低周波電流信号をポート保護回路２と信号調節回路２を通過させて電流収集モジュールインターフェース２に伝送する。
【００３０】
前記加熱制御モジュール７はＰＷＭ信号によって電流調節モジュール４を制御する。前記加熱制御モジュール７は、ＭＣＵコントローラと、電源回路と、クロックと、ＣＡＮ通信チップと、電流調節モジュールインターフェースと、電流収集モジュールインターフェースと、バッテリー管理システムインターフェースとを含み、ＭＣＵコントローラがＣＡＮ通信チップを介してバッテリー管理システムインターフェースに接続され、ＭＣＵコントローラがＰＷＭ生成モジュールを介して電流調節モジュールインターフェースに接続され、ＭＣＵコントローラがＡＤＣチャンネルを介して電流収集モジュールインターフェースに接続される。
【００３１】
前記加熱板２は、ニッケル板、銅板、アルミニウム板、鉄板、グラファイト板、ＰＴＣヒーター又は加熱薄膜のうちの１種または複数種である。
【００３２】
前記加熱板２は、独立した複数の加熱板ユニットを直列接続、並列接続又は直並列ハイブリッド接続して構成され、バッテリーセルの内部、バッテリーセルの外部、バッテリーパック１モジュール１の底部又はバッテリーパック１モジュールの側面に設けられる。
【００３３】
前記バッテリーパック１は、複数のバッテリーセルを直列接続、並列接続又は直並列ハイブリッド接続して構成され、前記バッテリーセルは、リン酸鉄リチウムバッテリー、三元リチウムバッテリー、マンガン酸リチウムバッテリー、固体リチウムバッテリー、ニッケル水素バッテリー、ニッケルカドミウムバッテリー、銀亜鉛バッテリー、燃料バッテリー又は鉛バッテリーのうちの１種であり、好ましくは、バッテリーセルの数が１〜９９９９でる。
【００３４】
以上による加熱速度を調節可能なバッテリーシステムの制御方法であって、
加熱速度を調節可能なバッテリーシステムを初期化し、バッテリー管理システム６によって現在のバッテリーパック１の情報をリアルタイムに収集し、収集されたバッテリーパック１の情報を計算して、駐車加熱モード、走行加熱モード、直流充電加熱モード、及び交流充電加熱モードの４種に分けられる現在のバッテリーパック１の加熱運転モードを選択し、バッテリー管理システム６が加熱制御モジュール７に必要なバッテリーパック１の状態情報及び加熱運転モードを加熱制御モジュール７に送信するステップ１）と、
受信されたバッテリーパック１の加熱運転モード情報に基づいて、加熱制御モジュール７を対応する加熱運転モードに切り替え、加熱制御モジュール７が現在の加熱運転モードで設定されたパラメータに基づいて、対応するＰＷＭ信号を電流調節モジュール４に送信し、加熱回路の電流値をリアルタイムに調節し、加熱制御モジュール７が電流収集モジュール５によりフィードバックされた電流値を受信し、ＰＷＭ信号を調節することで、実際の電流値が設定値に達し、閉ループ制御を実現し、同時に加熱回路に故障が発生したか否かを診断し、故障が存在すると、故障レベルに応じて現在の加熱運転モードを停止させるか否か又は加熱電力を低下させるか否かを判断し、故障がないと、現在の加熱運転モードを継続するステップ２）と、
バッテリーパック１におけるバッテリーセルの温度、温度差、圧力差がプリセット閾値より高く、又はバッテリーセルの電圧、絶縁抵抗がプリセット閾値より低いと、警報し、加熱制御モジュール７が電流調節モジュール４に加熱電力がゼロの制御命令を送信するステップ３）と、
バッテリー管理システム６に加熱運転モードを閉じる要求を送信し、確認した後、現在の加熱運転モードを終了させ、ステップ１）に戻り、次の加熱運転モードを待つステップ４）とを含む。
【００３５】
更に、加熱制御モジュール７が加熱板２、電流調節モジュール４、電流収集モジュール５に故障が生じたか否かを判断し、電流調節モジュール４が加熱制御モジュール７の故障操作に応答する。
【００３６】
本発明の技術的効果を検証するために、以下のいくつかの具体的な実施例を参照しながら説明する。
【００３７】
実施例１：
バッテリーセルはリチウムイオンバッテリーを用い、容量が７０Ａｈ、定格電圧が３．７Ｖであり、バッテリーシステムが４並列３６直列であり、バッテリー加熱板２はニッケル板を用い、抵抗値が８０ｍΩであり、バッテリーの内部に内蔵され、接続方式が４並列３６直列であり、環境温度を−２０℃とし、バッテリー管理システム６が加熱制御モジュール７に駐車加熱モードを送信する。バッテリー管理システム６が加熱モードを加熱制御モジュール７に送信した後、ＰＷＭ送信デューティサイクルを１００％とし、加熱制御モジュール７が急速に起動し、ＩＧＢＴが１００％オンになり、最大速度で加熱し、最大の加熱電流が１４７Ａであり、バッテリーシステムの温度が５℃／ｍｉｎの速度で急速に上がり、バッテリーの温度が設定された加熱停止温度１０℃に達すると、加熱制御モジュール７が加熱動作を停止させ、加熱を停止させる。このとき、バッテリーの温度が１０℃以上に達し、車両が起動して走行し、又は充電することができる。
【００３８】
実施例２：
バッテリーセルはリチウムイオンバッテリーを用い、容量が７０Ａｈ、定格電圧が３．７Ｖであり、バッテリーシステムが４並列３６直列であり、バッテリー加熱板２はニッケル板を用い、抵抗値が８０ｍΩであり、バッテリーの内部に内蔵され、接続方式が４並列３６直列であり、環境温度を−２０℃とし、車両に直流充電器を挿入し、バッテリー管理システム６が直流充電加熱モードを加熱制御モジュール７に送信する。加熱制御モジュール７が「ＰＷＭデューティサイクルを６０％とする」を送信し、加熱制御モジュール７が起動し、ＩＧＢＴをパルスで動作させるように制御し、電流１４９Ａで加熱始まり、充電器の出力電流を６０Ａとして設定し、バッテリーシステムの温度が５℃／ｍｉｎの速度で急速に上がり、バッテリーの温度が充電加熱停止温度１０℃に達すると、加熱制御モジュール７が加熱動作を停止させ、加熱を停止させ、充電器が動作し続け、バッテリー管理システム６が「充電電流要求１４０Ａ」を送信し、バッテリーが充電始まり、充電ＳＯＣ（残存電力）が１００％に達すると充電を停止させる。
【００３９】
実施例３：
バッテリーセルはリチウムイオンバッテリーを用い、セルの容量が７０Ａｈ、定格電圧が３．７Ｖであり、バッテリーシステムが４並列３６直列であり、バッテリー加熱板２はニッケル板を用い、抵抗値が８０ｍΩであり、バッテリーの内部に内蔵され、接続方式が４並列３６直列であり、環境温度を−２０℃として、車両に交流充電ガンを挿入し、バッテリー管理システム６が交流充電加熱モードを加熱制御モジュール７に送信する。加熱制御モジュール７が「ＰＷＭデューティサイクルを９０％とする」を送信し、加熱制御モジュール７が起動し、ＩＧＢＴをパルスで動作させるように制御し、電流１３９Ａで加熱始まり、充電器の出力電流を２０Ａとして設定し、バッテリーシステムの温度が５℃／ｍｉｎの速度で急速に上がり、バッテリーの温度が充電加熱停止温度１０℃に達すると、加熱制御モジュール７が加熱動作を停止させ、加熱を停止させ、充電器が動作し続け、バッテリー管理システム６が「充電電流要求２０Ａ」を送信し、バッテリーが充電始まり、充電ＳＯＣ（残存電力）が１００％に達すると充電を停止させる。
【００４０】
実施例４
バッテリーセルはリチウムイオンバッテリーを用い、セルの容量が７０Ａｈ、定格電圧が３．７Ｖであり、バッテリーシステムが４並列１６８直列であり、バッテリー加熱板２はニッケル板を用い、抵抗値が８０ｍΩであり、バッテリーの内部に内蔵され、接続方式が４並列１６８直列であり、環境温度を−２０℃として、運転者が車両を起動し、車両が１０ｋｍ／ｈの速度で走行し、バッテリー管理システム６が走行加熱モードを加熱制御モジュール７に送信する。加熱制御モジュール７が「ＰＷＭデューティサイクルを２０％とする」を送信し、加熱制御モジュール７が起動し、ＩＧＢＴをパルスで動作させるように制御し、電流２９Ａで加熱始まり、バッテリーシステムの温度が１℃／ｍｉｎの速度で上がり、バッテリーの温度が加熱停止温度１０℃に達すると、加熱制御モジュール７が加熱動作を停止させ、加熱を停止させ、車両が走行し続け、１００ｋｍ／ｈの最高車速に達して走行することができ、制動エネルギー回収が正常である。
【００４１】
以上は、本発明の好適な実施形態にすぎず、本発明の特許範囲はこれに限られず、当業者であれば、本発明に開示された技術範囲内において、本発明の技術案及びその発明発想に対する等価置換や変更は、すべて本発明の特許範囲内に属する。
【符号の説明】
【００４２】
１  バッテリーパック、
２  加熱板、
３  電力制御モジュール、
４  電流調節モジュール、
５  電流収集モジュール、
６  バッテリー管理システム、
７  加熱制御モジュール。
【図１】
2021510289.tif 000003
【図２】
2021510289.tif 000004
【図３】
2021510289.tif 000005
【図４】
2021510289.tif 000006
【国際調査報告】
2021510289.tif 000007
2021510289.tif 000008
2021510289.tif 000009
2021510289.tif 000010